(57)【特許請求の範囲】
【請求項１】
電池を電源としてトイレ装置の設定情報を変更可能なリモートコントローラであって、
ユーザによって前記トイレ装置の設定情報が入力される操作部と、
前記設定情報を記憶可能な記憶部と、
前記ユーザによって前記操作部を介して入力された前記設定情報を前記記憶部に書き込む書込処理を実行する書込処理部と、
前記設定情報に対応する表示部を第１輝度で点灯させる点灯処理を実行する点灯処理部と、
前記設定情報を前記トイレ装置に無線送信する無線通信部と、
を備え、
前記書込処理部は、前記点灯処理を行う期間とは異なるタイミングで、且つ、前記設定情報が前記トイレ装置に無線送信されるタイミングとは異なるタイミングで前記書込処理を実行し、
前記点灯処理を実行することで消費される前記電池の電流値を前記電池の電流容量に対して減算した値が、前記設定情報の無線送信と、前記書込処理との両方を実行することで消費される前記電池の電流値以下になるように設定されるリモートコントローラ。
【請求項２】
前記書込処理部は、前記点灯処理の実行の前又は後に、前記書込処理を実行する請求項１に記載のリモートコントローラ。
【請求項３】
前記書込処理部は、前記表示部の輝度が前記第１輝度よりも低い第２輝度未満である場合に前記書込処理を実行する請求項１に記載のリモートコントローラ。
【請求項４】
前記書込処理部は、所定の時間内に前記操作部を介して連続で前記設定情報が入力された場合に、前記所定の時間内の最新な前記設定情報のみを前記記憶部に書き込む請求項１から請求項３のいずれか一項に記載のリモートコントローラ。
【発明の詳細な説明】
【技術分野】
【０００１】
本発明は、リモートコントローラに関する。
【背景技術】
【０００２】
従来から、内蔵する電池を電源として、トイレ装置の設定を変更可能なリモートコントローラがある。このリモートコントローラは、操作部と表示部を備える。ユーザは操作部を操作することでトイレ装置の設定を遠隔から変更することができる。例えば、リモートコントローラは、ユーザにより操作部が操作されると、その操作に応じた設定の変更内容をトイレ装置に無線によって送信することでトイレ装置の設定を変更する。また、リモートコントローラは、操作部が操作されると、その操作に応じた表示部（例えば、ランプ）を一定時間の間に点灯させることでトイレ装置の設定状態を表示する。
【０００３】
また、リモートコントローラは、トイレ装置の設定が変更された場合には、その変更した設定の設定値を自装置内に設けられた不揮発性メモリに書き込む書込処理を行う。
【先行技術文献】
【特許文献】
【０００４】
【特許文献１】特許第５５４３０４６号公報
【発明の概要】
【発明が解決しようとする課題】
【０００５】
しかしながら、リモートコントローラに内蔵された電池の電流容量が限られているため、操作部が操作されることで書込処理を実行すると、表示部に十分な電流を供給できない場合がある。したがって、表示部の不点灯やちらつき等が生じ、安定して表示部を点灯できないという問題があった。
【０００６】
本発明は、このような事情に鑑みてなされたもので、その目的は、トイレ装置の設定を変更した場合において、安定して表示部を点灯可能なリモートコントローラを提供することである。
【課題を解決するための手段】
【０００７】
本発明の一態様は、電池を電源としてトイレ装置の設定情報を変更可能なリモートコントローラであって、ユーザによって前記トイレ装置の設定情報が入力される操作部と、前記設定情報を記憶可能な記憶部と、前記ユーザによって前記操作部を介して入力された前記設定情報を前記記憶部に書き込む書込処理を実行する書込処理部と、前記設定情報に対応する表示部を第１輝度で点灯させる点灯処理を実行する点灯処理部と、を備え、前記書込処理部は、前記点灯処理を行う期間とは異なるタイミングで前記書込処理を実行するリモートコントローラである。
【０００８】
また、本発明の一態様は、上述のリモートコントローラであって、前記書込処理部は、前記点灯処理の実行の前又は後に、前記書込処理を実行する。
【０００９】
また、本発明の一態様は、上述のリモートコントローラであって、前記書込処理部は、前記表示部の輝度が前記第１輝度よりも低い第２輝度未満である場合に前記書込処理を実行する。
【００１０】
また、本発明の一態様は、上述のリモートコントローラであって、前記設定情報を前記トイレ装置に無線送信する無線通信部をさらに備え、前記書込処理部は、前記設定情報が前記トイレ装置に無線送信されるタイミングとは異なるタイミングで前記書込処理を実行する。
【００１１】
また、本発明の一態様は、上述のリモートコントローラであって、前記点灯処理を実行することで消費される前記電池の電流値を前記電池の電流容量に対して減算した値が、前記設定情報の無線送信と、前記書込処理との両方を実行することで消費される前記電池の電流値以下になるように設定される。
【００１２】
また、本発明の一態様は、上述のリモートコントローラであって、前記書込処理部は、所定の時間内に前記操作部を介して連続で前記設定情報が入力された場合に、前記所定の時間内の最新な前記設定情報のみを前記記憶部に書き込む。
【発明の効果】
【００１３】
以上説明したように、本発明によれば、トイレ装置の設定を変更した場合において、安定して表示部を点灯可能なリモートコントローラを提供することができる。
【図面の簡単な説明】
【００１４】
【図１】本実施形態におけるトイレシステム１の概略構成の一例を示す図である。
【図２】本実施形態におけるリモコン１０の概略構成の一例を示す図である。
【図３】本実施形態における点灯処理と書込処理とのそれぞれを実行するタイミングの一例を説明する図である。
【図４】本実施形態における制御部１２０の処理の流れを示す図である。
【図５】本実施形態における表示部１５０の輝度変化の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１６】
実施形態におけるリモートコントローラは、電池を電源としてトイレ装置の設定情報を変更可能なリモートコントローラである。このリモートコントローラは、ユーザが操作部を操作することでトイレ装置の設定情報を変更する場合において、その設定情報を不揮発性メモリである記憶部に書き込む書込処理と、変更された設定情報に対応する表示部を第１輝度で点灯させる点灯処理とを異なるタイミングで実行する。
以下、実施形態のリモートコントローラを、図面を用いて説明する。
【００１７】
図１は、本実施形態におけるトイレシステム１の概略構成の一例を示す図である。
図１に示すように、トイレシステム１は、トイレ装置２及びリモートコントローラ（以下、「リモコン」とする。）１０を備える。
トイレ装置２は、便座装置３及び便器本体４を備える。本実施形態において、トイレ装置２は、便座装置３及び便器本体４を備えるが、これに限定されない。例えば、トイレ装置２は、便座装置３及び便器本体４のいずれかであってもよい。
【００１８】
便座装置３は、リモコン１０と無線通信することで情報を送受する。この無線通信とは、例えば赤外線通信である。
便座装置３は、トイレルーム内に設けられた便器本体４上に設置されている。便座装置３は、便座ボックス５、便蓋６及び便座７を備える。
便座ボックス５は、便器本体４の後部に設置されている。
便蓋６及び便座７は、便座ボックス５に対して上下方向に回動可能に支持されている。
【００１９】
リモコン１０は、トイレルームの壁面に設置されている。リモコン１０は、便座ボックス５と無線通信する。リモコン１０は、電池２００（後述する）を電源としてトイレ装置２の設定を示す設定情報を変更可能である。ユーザは、シャワー洗浄の水勢・水温・ノズル位置等の各個人の快適な設定情報をリモコン１０から無線でトイレ装置２に送信させることで、トイレ装置２に対して快適な使用条件を容易に設定することができる。例えば、ユーザは、リモコン１０の前面に設けられている操作部１１０を操作することで、シャワー洗浄の水勢・水温・ノズル位置等の設定情報を変更することができる。
【００２０】
リモコン１０は、ユーザにより変更されたトイレ装置２の設定情報に対応する表示部１５０を一定時間点灯させる。これにより、リモコン１０は、ユーザに対して変更したトイレ装置２の設定情報を報知することができる。例えば、リモコン１０は、変更されたシャワー洗浄の水勢に応じた数の表示部１５０を点灯させることで、変更されたシャワー洗浄の水勢をユーザに報知することができる。
【００２１】
また、リモコン１０の前面には、２個の便器洗浄ボタン（大洗浄ボタン５０、小洗浄ボタン５１）やシャワー洗浄ボタン５２を備えられており、ユーザは、便器洗浄ボタンやシャワー洗浄ボタン５２を操作することで、便器洗浄やシャワー洗浄といった便座装置３のさまざまな機能を実行させることができる。
【００２２】
図２は、本実施形態におけるリモコン１０の概略構成の一例を示す図である。
図２に示すように、リモコン１０は、操作部１１０、制御部１２０、記憶部１３０、無線通信部１４０、表示部１５０及び電池２００を備える。電池２００は、リモコン１０の各部に電源を供給する。
【００２３】
操作部１１０は、ユーザがトイレ装置２の設定情報を変更するために操作される。操作部１１０は、ユーザに操作されると、その操作により変更されたトイレ装置２の設定情報を制御部１２０に出力する。
【００２４】
制御部１２０は、例えばＣＰＵ（Central Processing Unit）である。
制御部１２０は、記憶装置３１０、点灯処理部３２０及び書込処理部３３０を備える。
記憶装置３１０は、例えばレジスタであり、操作部１１０から出力されたトイレ装置２の設定情報を記憶する。
【００２５】
点灯処理部３２０は、ユーザが操作部１１０を操作することで変更された設定情報に対応する表示部１５０を第１輝度で一定時間点灯させる点灯処理を実行する。例えば、第１輝度とは、ユーザが表示部１５０を確認することで、変更したトイレ装置２の設定情報を把握できる程度の明るさである。すなわち、第１輝度とは、表示部１５０を視認可能な明るさである。例えば、一定時間は、５秒である。この場合には、点灯処理部３２０は、ユーザにより操作部１１０が操作されると、その操作に対応する表示部１５０を第１輝度で点灯させ、５秒後に消灯する。
【００２６】
書込処理部３３０は、ユーザが操作部１１０を操作することで変更されたトイレ装置２の設定情報を記憶部１３０に書き込む書込処理を実行する。例えば、書込処理部３３０は、記憶装置３１０に記憶されているトイレ装置２の設定情報を記憶部１３０に書き込む。記憶部１３０は、ＥＥＰＲＯＭ、フラッシュメモリ等の不揮発性メモリである。このように、リモコン１０は、記憶部１３０として不揮発性メモリを用いることで、電池２００がリモコン１０に出し入れされても、すなわちリモコン１０に電源が供給されなくても、設定情報を保持することができる。ただし、書込処理部３３０は、点灯処理部３２０の点灯処理とは異なるタイミングで書込処理を実行する。すなわち、書込処理部３３０は、表示部１５０が第１輝度で点灯させるタイミングとは異なるタイミングで書込処理を実行する。図３は、本実施形態における点灯処理と書込処理とのそれぞれを実行するタイミングの一例を説明する図である。
【００２７】
時刻Ｔ１において、ユーザにより操作部１１０が操作されると、その操作に対応するトイレ装置２の設定情報が記憶装置３１０に記憶される。点灯処理部３２０は、ユーザにより操作部１１０が操作されると、その操作に対応する表示部１５０を第１輝度で点灯させる。例えば、点灯処理部３２０は、時刻Ｔ２において表示部１５０の点灯を開始する。点灯処理部３２０は、表示部１５０を点灯させてから一定時間が経過した時刻Ｔ３において、表示部１５０を消灯させる。書込処理部３３０は、表示部１５０の消灯後に、記憶装置３１０に記憶されているトイレ装置２の設定情報を記憶部１３０に書き込む。これにより、表示部１５０の不点灯やちらつきを防止し、安定して表示部１５０を点灯できる。表示部１５０の不点灯やちらつきは、例えば、点灯処理と書込処理とを実行するために必要な電流が電池２００の電流容量を超えてしまい、表示部１５０に十分な電流を供給できないために発生する。したがって、本実施形態の制御部１２０は、表示部１５０の点灯処理と書込処理とを異なるタイミングで実行することにより、所定の時間内において必要な電流を電池２００の電流容量以下に制御し、安定して表示部１５０を点灯可能である。なお、書込処理部３３０は、表示部１５０の点灯前に、記憶装置３１０に記憶されているトイレ装置２の設定情報を記憶部１３０に書き込んでもよい。
【００２８】
無線通信部１４０は、リモコン１０と無線通信する。無線通信部１４０は、ユーザが操作部１１０を操作することで変更された設定情報をトイレ装置２に無線送信する。例えば、無線通信部１４０は、記憶装置３１０に記憶されている設定情報をトイレ装置２に無線送信する。本実施形態において、無線通信部１４０により設定情報を無線送信するタイミングは、特に限定されないが、点灯処理と書込処理との少なくともいずれか一方のタイミングとは異なることが望ましい。これにより、所定の時間内においてリモコン１０の消費電流をより削減できる。例えば、無線通信部１４０は、書込処理が実行される前に記憶装置３１０に記憶されている設定情報をトイレ装置２に無線送信する。なお、例えば、点灯処理部３２０における点灯処理の実行により消費される電池２００の電流値を電池２００の電流容量に対して減算した値が、無線通信部１４０における設定情報の無線送信と、書込処理部３３０における書込処理との両方を実行することで消費される電池２００の電流値以下になるように設定される。
【００２９】
表示部１５０は、発光（点灯）することで各種情報を表示する。表示部１５０は、ＬＥＤ（Light Emitting Diode）やランプ等の発光素子である。
表示部１５０は、１つ又は複数の発光素子を備えて構成される。表示部１５０は、少なくともいずれか一つの発光素子又は複数の発光素子が発光することで、当該発光素子が設けられた位置（又は個数）に応じて各種情報を表示する。
【００３０】
以下、本実施形態における制御部１２０の処理の流れについて、説明する、図４は、本実施形態における制御部１２０の処理の流れを示す図である。
操作部１１０は、ユーザに操作されると、その操作により変更されたトイレ装置２の設定情報を制御部１２０に出力する。制御部１２０は、操作部１１０から変更されたトイレ装置２の設定情報を取得すると（ステップＳ１０１）、その設定情報が記憶装置３１０により記憶される。
【００３１】
点灯処理部３２０は、ユーザにより操作部１１０が操作されると、その操作に対応する表示部１５０を第１輝度で一定時間点灯させる点灯処理を開始する（ステップＳ１０２）。また、無線通信部１４０は、記憶装置３１０に記憶されている設定情報をトイレ装置２に無線送信する（ステップＳ１０３）。
【００３２】
点灯処理部３２０は、表示部１５０を点灯させてから一定時間経過すると、表示部１５０を消灯させ点灯処理を停止する（ステップＳ１０４）。書込処理部３３０は、表示部１５０の消灯後に、記憶装置３１０に記憶されているトイレ装置２の設定情報を記憶部１３０に書き込む（ステップＳ１０５）。
【００３３】
上述したように、本実施形態におけるリモコン１０は、ユーザによってトイレ装置２の設定情報が入力される操作部１１０と、設定情報を記憶可能な記憶部１３０と、ユーザによって操作部１１０を介して入力された設定情報を記憶部１３０に書き込む書込処理を実行する書込処理部３３０と、変更された設定情報に対応する表示部１５０を第１輝度で点灯させる点灯処理を実行する点灯処理部３２０と、を備える。そして、書込処理部３３０は、点灯処理を行う期間とは異なるタイミングで書込処理を実行する。これにより、リモコン１０は、トイレ装置２の設定を変更した場合において、表示部１５０の不点灯やちらつき等を防止し、安定して表示部１５０を点灯可能である。
【００３４】
ここで、従来のリモコンは、ユーザにより操作部１１０が操作されたタイミングで記憶部１３０にその操作に対応するトイレ装置の設定情報を書き込む。したがって、ユーザにより操作部１１０が連続で操作された場合には、その操作部１１０が操作される度に記憶部１３０に設定情報を書き込む。そのため、操作部１１０が連続で操作された場合には、設定情報の書き込みに多くの電流を必要とする。本実施形態におけるリモコン１０は、ユーザにより操作部１１０が操作されたタイミングから所定の時間後に書込処理を行う。すなわち、所定の時間内にユーザにより操作部１１０が連続で操作されても、所定の時間内の最新な設定情報のみを記憶部１３０に書き込む。したがって、記憶部１３０に対する無駄な書き込みを抑制することで、記憶部１３０の消費電力を削減することが可能となり、電池２００の長寿命化に寄与する。
【００３５】
また、上述の実施形態において、書込処理部３３０は、表示部１５０の輝度が第１輝度よりも低い第２輝度未満である場合に書込処理を実行してもよい。図５は、本実施形態における表示部１５０の輝度変化の一例を示す図である。
例えば、図５に示すように、点灯処理部３２０は、表示部１５０を点灯させる場合において、表示部１５０に流す電流値を徐々に増加させることで、表示部１５０の輝度を徐々に上げて第１輝度で点灯させる。また、点灯処理部３２０は、例えば、表示部１５０を消灯させる場合において、表示部１５０に流す電流値を徐々に低下させることで、表示部１５０の輝度を徐々に下げて消灯させる。この場合において、表示部１５０が第１輝度よりも低い第２輝度未満で点灯している場合に、書込処理部３３０は、変更されたトイレ装置２の設定情報を記憶部１３０に書き込む書込処理を実行する。第２輝度は、十分に書込処理ができる範囲において、表示部１５０に電流を流すことで点灯したときの輝度である。したがって、図５に示すように、書込処理部３３０は、表示部１５０の点灯が開始されてから時間Ｔ１１が経過するまでに書込処理を実行する。又は、書込処理部３３０は、表示部１５０の点灯が開始されてから時間Ｔ１２の後に書込処理を実行する。これにより、書込処理を実行するタイミングをより早めることができる。
【００３６】
また、書込処理部３３０は、記憶装置３１０に記憶されているトイレ装置２の設定情報を記憶部１３０に書き込んだ後に、記憶装置３１０に記憶されている設定情報と、記憶部１３０に記憶されている設定情報とを比較することで、設定情報の書込みエラーを検出してもよい。この場合には、書込処理部３３０は、書込処理を実行するタイミングを点灯処理の前にすることが望ましい。
【００３７】
また、上述した実施形態における制御部１２０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３８】
以上、この発明の実施形態について図面を参照して詳述してきたが、具体的な構成はこの実施形態に限られるものではなく、この発明の要旨を逸脱しない範囲の設計等も含まれる。
【符号の説明】
【００３９】
１０  リモコン
１１０  操作部
１２０  制御部
１３０  記憶部
１４０  無線通信部
１５０  表示部
２００  電池
３１０  記憶装置
３２０  点灯処理部
３３０  書込処理部
【図１】
0006638971.tif 000002
【図２】
0006638971.tif 000003
【図３】
0006638971.tif 000004
【図４】
0006638971.tif 000005
【図５】
0006638971.tif 000006